(57)【要約】【課題】プリント基板上に実装される部品を効率良く配置することにより、小型かつ低コストのカメラを提供すること。【解決手段】カメラの撮影シーケンスを制御するための回路が実装されたメイン基板２０と、Ｘｅ管１０ａと該Ｘｅ管１０ａを放電発光させるための電荷を充電するメインコンデンサ９とが実装された充電用基板２１とをメインコンデンサ９の電極を形成するリード部９ａを介して電気的に接続する。【選択図】　　図１
2004021014.tif 000002
【特許請求の範囲】
【請求項１】
カメラの撮影シーケンスを制御するための回路が実装された第１のプリント基板と、
ストロボ用の放電発光管と該放電発光管を放電発光させるための電荷を充電するコンデンサとが実装された第２のプリント基板と、
を具備し、
上記第１のプリント基板と上記第２のプリント基板とが、上記コンデンサの電極を形成するリード部材を介して電気的に接続されることを特徴とするカメラ。
【請求項２】
被写体を撮影するための撮影レンズとフィルムパトローネを装填するためのパトローネ室との間の空間部にトランスを配置し、上記トランスによって、上記撮影レンズとフィルムを巻き上げるためのスプール室との間の空間部に配置されたコンデンサが充電されるカメラであって、
上記トランスを実装したプリント基板は、上記トランスから上記コンデンサの電極部まで延長された腕部を具備し、
上記腕部に上記コンデンサの電極部が実装されることを特徴とするカメラ。
【請求項３】
カメラの撮影シーケンスを制御する回路とカメラの撮影情報を表示する表示装置の電極とが設けられた、カメラ内部の上面側に配置される第１のプリント基板と、
ストロボ用の放電発光管と該放電発光管を放電発光させるためのエネルギーを蓄えるための回路が設けられた、カメラ内部のグリップ側前面に配置される第２のプリント基板と、
を具備し、
上記第１のプリント基板には、上記第２のプリント基板に実装された上記放電発光管との距離が近距離となるように上記放電発光管を放電発光させるためのトリガ回路が実装されることを特徴とするカメラ。
【請求項４】
カメラ内部の上面側に配置される第１のプリント基板と、
カメラ内部の前面側に配置される第２のプリント基板と、
を具備し、
上記第１のプリント基板には、第１のスイッチを接続するためのスイッチパターン及びカメラの表示装置を接続するための接続パターンが設けられ、
上記第２のプリント基板には、上記第１のスイッチとは異なる第２のスイッチを接続するためのスイッチパターン及びストロボ充電用のコンデンサの電極を形成するリード部材を接続するための接続パターンが設けられることを特徴とするカメラ。
【請求項５】
フィルムパトローネを装填するためのパトローネ室と、
フィルムの巻き上げを行うためのスプール室と、
被写体を撮影するための撮影レンズと、
ストロボ用の放電発光管と該放電発光管を放電するためのエネルギーを蓄えるコンデンサと該コンデンサの充電を行うトランスとが電気的に接続された状態で実装された硬質基板と、
を具備し、
上記撮影レンズは、上記パトローネ室と上記スプール室との間に配置されると共に、上記パトローネ室と上記撮影レンズとの間の空間部及び上記スプール室と上記撮影レンズとの間の空間部に、上記硬質基板に実装された上記トランス及び上記コンデンサがそれぞれ配置されることを特徴とするカメラ。
【請求項６】
ストロボ用の放電発光を行う放電発光管に放電発光を行わせる第１のトランスとが配置された、カメラ内部の上面側に設けられた第１のプリント基板と、
上記放電発光管と該放電発光管を放電させるためのエネルギーを蓄えるコンデンサと該コンデンサを充電する第２のトランスとが配置された、カメラ内部の前面側に設けられた第２のプリント基板と、
を具備し、
上記第２のトランスが配置された位置から上記第２のプリント基板を更に延長した位置に、上記放電発光管と該放電発光管の電極及び上記コンデンサと該コンデンサの電極が設けられると共に、
上記放電発光管と上記第１のプリント基板との間の空間に上記第１のトランスが配置されることを特徴とするカメラ。
【発明の詳細な説明】
【０００１】
【発明の属する技術分野】
本発明は、カメラに関し、特にカメラの小型化を図るための技術に関する。
【０００２】
【従来の技術】
従来、露出時に閃光を発光する、所謂、「ストロボ装置」を備えることにより、暗い所でも撮影を行うことができるカメラが実用化されている。このようなストロボ装置では、高電圧にまで充電されたコンデンサのエネルギーを利用することにより、放電発光管であるキセノン管を放電発光させる。
【０００３】
前述したようなストロボ装置を構成する、例えば、コンデンサやトランスといった部品には、高電圧に対応するために比較的大型のものが多い。このため、小型のカメラ内にこれらの部品を配置することは困難であり、また、このような部品を、カメラ内部のプリント基板上に表面実装することも困難であった。結果として、ストロボ装置を備えたカメラでは、前述の大型部品のために小型化が困難であった。
【０００４】
そこで、フィルムを収納するためのフィルム室の形状に合わせてできた空間に前述のストロボ装置の部品を配置する技術が特開平９−１６０１８１号公報に開示されている。
【０００５】
また、近年では、カメラの撮影モードを表示したり撮影日付を表示したりするための表示部として液晶パネルを有しているカメラや、フィルムのパトローネ部に設けられた電極パターン、所謂、「ＤＸコード」によってフィルム感度情報などを読み取り、その読み取った情報に従って露出を制御するカメラが増加している。
【０００６】
【発明が解決しようとする課題】
前述した液晶パネルはカメラの上面に設けられることが多く、また、カメラが前述したＤＸコードを読み取るための接点はフィルムパトローネの位置にあわせてカメラ内部の前面側に設けられることが多い。そこで、これらの部品をプリント基板上に実装する際には、プリント基板を２つ用意して、液晶パネルを実装したプリント基板をカメラ内部の上面側に配置し、ＤＸコード読み取り用の接点を実装したプリント基板をカメラ内部の前面側に配置することが多い。
【０００７】
つまり、カメラの小型化や低コスト化を図るためには、前述した２つのプリント基板上にカメラの各部品を効率良く配置する必要がある。プリント基板を単に大きくした場合には、部品の配置は簡単になるがコストが高くなってしまう。一方、プリント基板を単に小さくした場合には、コストを低くできるが部品を効率よく配置することが困難になってしまう。
【０００８】
特に、ストロボ装置に関する部品には大型部品が多く、高電圧を扱うのでノイズの源になりやすい。このため、ストロボ装置に関する部品については、より適切な配置をすることが重要になる。
【０００９】
しかしながら、上記公報に開示されている技術では、全自動カメラの全体の機能までは考慮しておらず、例えば、カメラの表示部等に関する配線やスイッチ等の電極等の配置、大型部品によるノイズの対策までは言及されていなかった。
【００１０】
本発明は、上記の事情に鑑みてなされたもので、プリント基板上に実装される部品を効率良く配置することにより、小型かつ低コストのカメラを提供することを目的とする。
【００１１】
【課題を解決するための手段】
上記の目的を達成するために、本発明によるカメラは、カメラの撮影シーケンスを制御するための回路が実装された第１のプリント基板と、ストロボ用の放電発光管と該放電発光管を放電発光させるための電荷を充電するコンデンサとが実装された第２のプリント基板と、を具備し、上記第１のプリント基板と上記第２のプリント基板とが、上記コンデンサの電極を形成するリード部材を介して電気的に接続されることを特徴とする。
【００１２】
即ち、本発明のカメラは、カメラの撮影シーケンスを制御する第１のプリント基板とストロボ用の放電発光管を発光させるための電荷を充電するコンデンサが実装された第２のプリント基板とを、コンデンサの電極によって電気的に接続する。
【００１３】
また、上記の目的を達成するために、本発明によるカメラは、被写体を撮影するための撮影レンズとフィルムパトローネを装填するためのパトローネ室との間の空間部にトランスを配置し、上記トランスによって、上記撮影レンズとフィルムを巻き上げるためのスプール室との間の空間部に配置されたコンデンサが充電されるカメラであって、上記トランスを実装したプリント基板は、上記トランスから上記コンデンサの電極部まで延長された腕部を具備し、上記腕部に上記コンデンサの電極部が実装されることを特徴とする。
【００１４】
即ち、本発明のカメラは、撮影レンズとパトローネ室との間に配されたトランスが実装されたプリント基板を延長することによって形成した腕部に撮影レンズとスプール室との間に配されたコンデンサを実装する。
【００１５】
更に、上記の目的を達成するために、本発明によるカメラは、カメラの撮影シーケンスを制御する回路とカメラの撮影情報を表示する表示装置の電極とが設けられた、カメラ内部の上面側に配置される第１のプリント基板と、ストロボ用の放電発光管と該放電発光管を放電発光させるためのエネルギーを蓄えるための回路が設けられた、カメラ内部のグリップ側前面に配置される第２のプリント基板と、を具備し、上記第１のプリント基板には、上記第２のプリント基板に実装された上記放電発光管との距離が近距離となるように上記放電発光管を放電発光させるためのトリガ回路が実装されることを特徴とする。
【００１６】
即ち、本発明のカメラは、第１のプリント基板上における、第２のプリント基板上に実装された放電発光管と近接するような位置にトリガ回路を実装する。
【００１７】
また、上記の目的を達成するために、本発明によるカメラは、カメラ内部の上面側に配置される第１のプリント基板と、カメラ内部の前面側に配置される第２のプリント基板と、を具備し、上記第１のプリント基板には、第１のスイッチを接続するためのスイッチパターン及びカメラの表示装置を接続するための接続パターンが設けられ、上記第２のプリント基板には、上記第１のスイッチとは異なる第２のスイッチを接続するためのスイッチパターン及びストロボ充電用のコンデンサの電極を形成するリード部材を接続するための接続パターンが設けられることを特徴とする。
【００１８】
即ち、本発明のカメラは、第１のプリント基板には、第１のスイッチを接続するためのスイッチパターン及びカメラの表示装置に関する接続パターンを設け、第２のプリント基板には、上記第１のスイッチとは異なる第２のスイッチを接続するためのスイッチパターン及びストロボ充電用のコンデンサの電極を形成するリード部材を接続するための接続パターンを設ける。
【００１９】
更に、上記の目的を達成するために、本発明によるカメラは、フィルムパトローネを装填するためのパトローネ室と、フィルムの巻き上げを行うためのスプール室と、被写体を撮影するための撮影レンズと、ストロボ用の放電発光管と該放電発光管を放電するためのエネルギーを蓄えるコンデンサと該コンデンサの充電を行うトランスとが電気的に接続された状態で実装された硬質基板と、を具備し、上記撮影レンズは、上記パトローネ室と上記スプール室との間に配置されると共に、上記パトローネ室と上記撮影レンズとの間の空間部及び上記スプール室と上記撮影レンズとの間の空間部に、上記硬質基板に実装された上記トランス及び上記コンデンサがそれぞれ配置されることを特徴とする。
【００２０】
即ち、本発明のカメラは、パトローネ室と撮影レンズとの間に充電用トランスを配し、撮影レンズとスプール室との間にコンデンサを配し、更に、トランス及びコンデンサを硬質基板によって電気的に接続する。
【００２１】
また、上記の目的を達成するために、本発明によるカメラは、ストロボ用の放電発光を行う放電発光管に放電発光を行わせる第１のトランスとが配置された、カメラ内部の上面側に設けられた第１のプリント基板と、上記放電発光管と該放電発光管を放電させるためのエネルギーを蓄えるコンデンサと該コンデンサを充電する第２のトランスとが配置された、カメラ内部の前面側に設けられた第２のプリント基板と、を具備し、上記第２のトランスが配置された位置から上記第２のプリント基板を更に延長した位置に、上記放電発光管と該放電発光管の電極及び上記コンデンサと該コンデンサの電極が設けられると共に、上記放電発光管と上記第１のプリント基板との間の空間に上記第１のトランスが配置されることを特徴とする。
【００２２】
即ち、本発明のカメラは、第２のプリント基板上で第２のトランスが配置された位置から、更に第２のプリント基板を延長した位置に放電発光管と、放電発光管の電極と、コンデンサと、コンデンサの電極とを設けると共に、上記放電発光管と上記第１のプリント基板との間の空間に第１のトランスが配置される。
【００２３】
つまり、ストロボ用の大型部品をカメラボディ内の最適な位置に収め、なおかつ、電気的な信号ラインを合理的、効率的に引くことによってカメラを小型化できる。
【００２４】
特に、カメラ内部の上面側の基板に設けられたＬＣＤ用の信号ラインやスイッチパターンを別の基板から引くことは困難であるので、これらの信号を処理する制御回路は、カメラ上面側の基板に実装する。これによって上面側基板の実装面積が不足することを対策する。
【００２５】
更に、前面側の基板に実装する部品を最適化することによって、カメラの小型化を実現し、基板製造コストを低減するだけでなく、基板間の配線を減らしことができる。また、大型部品を配置することによるノイズを軽減して、組み立てやすく、性能を発揮しやすい部品レイアウトを実現できる。
【００２６】
【発明の実施の形態】
以下、本発明の実施の形態を図面を参照して説明する。
【００２７】
［第１の実施の形態］
図２は、本発明の第１の実施の形態に係るカメラの電子回路構成を示すブロック図である。
マイクロコントローラ（以下、ＣＰＵと称する）１は、カメラ全体の動作シーケンスを制御する制御部である。また、ＣＰＵ１には、メインスイッチ１ａ及びレリーズスイッチ１ｂが接続されていて、ＣＰＵ１は、これらのメインスイッチ１ａ、レリーズスイッチ１ｂの入力状態を判定してそれに対応した動作制御を行う。撮影者によりメインスイッチ１ａが操作されたと判定した場合には、カメラを撮影可能な状態とし、ＬＣＤ２に撮影情報の表示を行わせる。
【００２８】
図３（Ａ）及び図３（Ｂ）は、本実施の形態に係るカメラの一例を示したコンパクトカメラの外観図である。コンパクトカメラでは、カメラ前面に配された撮影レンズ４０やファインダ対物レンズ４１等の光学系を保護するための保護部材、所謂、「バリア」５１が設けられていることが多い。このようなバリア５１を有するカメラ３０では、図３（Ｂ）に示すバリアスイッチ１ａ（以下、このバリアスイッチ１ａを前述のメインスイッチ１ａと同じものとして扱い、メインスイッチ１ａと称する）によって検出したバリア５１の開閉状態に応じて、カメラ本体の電源をＯＮ／ＯＦＦさせるものが多い。つまり、図３（Ａ）のようにバリア５１を開いた場合には、メインスイッチ１ａがＯＮして撮影が可能となる。一方、図３（Ｂ）のようにバリア５１を閉じた場合には、メインスイッチ１ａがＯＦＦして撮影が禁止される。
【００２９】
また、図３（Ａ）及び図３（Ｂ）に示すレリーズスイッチ１ｂが操作された場合には、露出制御を開始する。
【００３０】
更に、ＣＰＵ１にはアナログ／デジタル（Ａ／Ｄ）変換部１ｃが内蔵されている。Ａ／Ｄ変換部１ｃには、後に詳述するストロボ装置から電圧が入力される。Ａ／Ｄ変換部１ｃでは、その入力された電圧をＡ／Ｄ変換する。ＣＰＵ１では、このＡ／Ｄ変換した電圧によって、後述するストロボ用のメインコンデンサの充電が完了したか否かの判定を行う。
【００３１】
表示部（以下、ＬＣＤと称する）２は、カメラ本体３０の上面に設けられた、撮影情報等を表示するための表示部である。多くのカメラのＬＣＤは、図４に示すように、撮影日付を表示する領域である日付表示部や、フィルムの撮影コマ数を表示する領域であるコマ数表示部２ｂ等を有している。なお、ＬＣＤ２は特許請求の範囲に記載の表示装置に相当する。
【００３２】
なお、前述の日付表示部２ａやコマ数表示部２ｂを構成するセグメントの表示を行うために、通常、ＣＰＵ１とＬＣＤ２との間は、２０本もの信号線によって接続される。このため、ＣＰＵ１とＬＣＤ２、及び、これらをつなぐ信号線は、同一のプリント基板上に実装することが好ましい。つまり、別のプリント基板上にＣＰＵ１とＬＣＤ２とを実装したとすると、非常に多くの電極を有するコネクタが必要となるので、コストアップにつながり、また、実装時のスペース的にも不利となってしまう。
【００３３】
測光（ＡＥ）部３は、被写体の明るさを測定するためのものであり、ＣｄＳやフォトダイオード等の入射した光の強さに応じて出力信号が変化する、所謂、「光電変換素子」によって構成されている。このＡＥ部３で測定された被写体明るさは、ＣＰＵ１において行われる露出演算の際に使用される。
【００３４】
ＤＸ読取部４は、図示しないフィルムパトローネに形成された電極パターン情報、つまり、ＤＸコードを読み取る。ＤＸコードにはフィルム感度情報等が記録されており、ＤＸ読取部４によって読み取られたフィルム感度情報は、ＣＰＵ１に出力される。ＣＰＵ１では、ＡＥ部３によって測定された被写体明るさ及びフィルム感度情報に基づいて露出演算を行い、露出時のシャッタスピードや絞りを決定する。また、露出時に図３（Ａ）に示すストロボ発光部１０を発光させて被写体に光を照射するか否かを判定する。
【００３５】
シャッタ部５は、ＣＰＵ１に制御されて、前述の露出演算によって決定されたシャッタスピード及び絞り等に基づいて、図示しないフィルムに所定量の露出を行う。
【００３６】
フィルム巻き上げ部（以下、ＷＩＮＤ部と称する）６ａは、フィルム給送用のモータ等で構成されており、撮影終了後にフィルムの巻き上げを行う。つまり、撮影が終了した場合には、ＣＰＵ１は、ＷＩＮＤ部６ａのモータ等を制御してフィルムの１コマ巻き上げを行わせる。また、このときに、日付写し込み部６ｂを制御して撮影した画像に撮影日付の写し込みを行わせる。日付写し込み部６ｂは、フィルムに対し、ＬＥＤ等からなる光源から所定パターンの光を照射して、写真プリント上に日付情報を写し込ませるものである。
【００３７】
ＤＣ／ＤＣコンバータ７は、直流電圧を可変するための回路である。カメラの電源として用いる電池８は、後に詳述するストロボ装置の充電制御時等では、多大な電流が流れることにより、電圧が不安定となる。そして、電源電圧が不安定となることによって、ＣＰＵ１やその他の回路が誤作動してしまう虞がある。そこで、ＤＣ／ＤＣコンバータ７によって電源電圧を制御して電源電圧を安定させることにより、ＣＰＵ１等の誤作動を防止する。
【００３８】
なお、図２において、前述した構成要素以外のものは、ストロボ装置に関するものである。このストロボ装置の詳細については、後に詳述する。
【００３９】
図５にＣＰＵ１が制御する本実施の形態のカメラにおけるメインの動作制御のフローチャートを示す。
【００４０】
まず、撮影者によってバリア５１が開かれたか否か、即ち、メインスイッチ１ａがＯＮされたか否かを判定する（ステップＳ１）。メインスイッチ１ａがＯＦＦであると判定した場合には、ＬＣＤ２の表示をＯＦＦさせた後（ステップＳ２）、本フローチャートの制御を終了する。
【００４１】
一方、上記ステップＳ１の判定において、メインスイッチ１ａがＯＮされたと判定された場合には、ＬＣＤ２に撮影コマ数等の撮影情報の表示を行わせる（ステップＳ３）。これにより、撮影者にカメラが撮影可能であることを認知させることができる。
【００４２】
ＬＣＤ２に撮影コマ数等の表示を行った後は、撮影者によってレリーズスイッチ１ｂがＯＮされたか否かを判定する（ステップＳ４）。レリーズスイッチ１ｂがＯＮされていないと判定した場合には、メインスイッチ１ａがＯＮのままであるか否かを判定する（ステップＳ５）。メインスイッチ１ａがＯＮのままであると判定した場合には、上記ステップＳ４に戻る。一方、上記ステップＳ５の判定において、メインスイッチ１ａがＯＦＦされたと判定した場合には、上記ステップＳ２に戻り、ＬＣＤ２表示をＯＦＦさせた後、本フローチャートの制御を終了する。
【００４３】
上記ステップＳ４の判定において、レリーズスイッチ１ｂがＯＮされたと判定した場合には、ＡＥ部３によって、被写体の明るさを測定する測光動作を行う（ステップＳ６）。次に、ＤＸ読取部４によって、図示しないフィルムパトローネのＤＸコードを読み取り、フィルム感度等の情報を識別する（ステップＳ７）。そして、上記ステップＳ６で測定した被写体明るさ及び上記ステップＳ７で読み取ったフィルム感度情報等から、露出量を決定する（ステップＳ８）。また、露出時にストロボ発光部１０を発光させるか否かを判定する（ステップＳ９）。
【００４４】
上記ステップＳ９の判定において、ストロボ発光部１０を発光させて露出を行うと判定した場合には、ストロボ発光部１０を発光させて被写体に光を照射した後、シャッタ部５を制御して露出を行う（ステップＳ１０）。一方、ストロボ発光部１０を発光させて露出を行わないと判定した場合には、そのままシャッタ部５を制御して露出を行う（ステップＳ１１）。
【００４５】
露出が終了した後は、ＷＩＮＤ部６ａを制御してフィルムの巻き上げを行う（ステップＳ１２）。またこのときに、日付写し込み部６ｂを制御して、フィルムに日付の写し込みを行う（ステップＳ１３）。フィルムの巻き上げが終了した後は、ＷＩＮＤ部６ａを停止制御した後（ステップＳ１４）、上記ステップＳ１に戻る。
【００４６】
次に、上記ステップＳ１０において使用するストロボ装置（閃光発光装置）についての説明を行う。即ち、ストロボ装置（閃光発光装置）は、図２において、メインコンデンサ９、キセノン（Ｘｅ，閃光発光）管１０ａ、トリガ回路１１、トランジスタ１２，１３、上記メインコンデンサ９に充電を行うための複数の電気素子の一つである充電用トランス１４、ダイオード１５ａ，１５ｂ、及び抵抗１６ａ，１６ｂを含んで構成される。なお、メインコンデンサ９は特許請求の範囲に記載のコンデンサに相当する。また、Ｘｅ管１０ａは特許請求の範囲に記載の放電発光管に相当する。更に、トリガ回路１１は特許請求の範囲に記載のトリガ回路に相当し、充電用トランス１４は特許請求の範囲に記載のトランスまたは第２のトランスに相当する。
【００４７】
ストロボ装置は、高い電圧に昇圧充電されたメインコンデンサ９のエネルギーをＸｅ管１０ａに供給することにより、Ｘｅ管１０ａを発光させる。これによりストロボ発光部１０が発光する。このとき、２つの重要な制御がＣＰＵ１によって行われる。
【００４８】
一つは、メインコンデンサ９を充電するための「充電制御」である。このとき、ＣＰＵ１は、半導体スイッチであるトランジスタ１２，１３を高速でＯＮ／ＯＦＦすることにより、充電用トランス１４の２次側巻線に高電圧を発生させる。この高電圧は、整流用のダイオード１５ａ，１５ｂを介して、メインコンデンサ９を高電圧に充電する。また、充電用トランス１４の２次側巻線で発生した高電圧は、抵抗１６ａ，１６ｂを介して分圧された後、ＣＰＵ１内部のＡ／Ｄ変換部１ｃでＡ／Ｄ変換される。ＣＰＵ１は、この電圧により、メインコンデンサ９の充電が完了したか否かを判定する。
【００４９】
ストロボ装置の発光制御におけるもう一つの重要な制御は、「トリガ制御」である。メインコンデンサ９の充電が完了したと判定した場合に、ＣＰＵ１は、トリガ回路１１内部のサイリスタ１７をＯＮ制御する。これによって、トリガコンデンサ１８に蓄えられたエネルギーによってトリガトランス１９に高電圧が発生する。この高電圧によってＸｅ管１０ａ内のキセノンガスがイオン化する。この状態において、メインコンデンサ９で蓄えられたエネルギーがＸｅ管１０ａに供給されることにより、Ｘｅ管１０ａが放電発光する。なお、トリガ回路１１内のトリガトランス１９は特許請求の範囲に記載の第１のトランスに相当する。
【００５０】
前述したようなストロボ装置の発光制御においては、ストロボ装置用に専用の部品が必要である。このような部品には、前述した高電圧にも耐えることができるような大型部品とする必要があり、小型化が困難である。つまり、カメラ組立て時の配置を検討する場合には、この大型部品の配置を工夫によって、カメラ全体の大きさが決まる。
【００５１】
図１（Ａ）は、本発明の実施の形態に係るカメラの上面断面図である。即ち、本実施の形態においては、カメラ本体３０の内部に、フィルムパトローネ３１ａを装填するためのパトローネ室３１と、フィルム３２の巻き上げを行うスプール室３３と、の間に、撮影レンズ４０を配置する。なお、パトローネ室３１は特許請求の範囲に記載のパトローネ室に相当する。また、スプール室３３は特許請求の範囲に記載のスプール室に相当し、撮影レンズ４０は特許請求の範囲に記載の撮影レンズに相当する。
【００５２】
図１（Ａ）のように配置した場合、パトローネ室３１と撮影レンズ４０との間、及びスプール室３３と光軸を有する撮影レンズ４０との間には空間部ができる。そこで、この空間部にストロボ充電用のメインコンデンサ９や充電用トランス１４といった、ストロボ装置用の大型部品が配置されるようにプリント基板（以下、充電用基板と称する）２１に撮影レンズ４０の一側方に配置されたメインコンデンサ９及び撮影レンズ４０の他側方に配置された充電用トランス１４を実装する。なお、充電用基板２１は特許請求の範囲に記載の第２のプリント基板に相当する。
【００５３】
なお、本実施の形態では、メインコンデンサ９をＸｅ管１０ａに近い位置に配置し、充電用トランス１４をパトローネ室３１側に配置する。そして、これらメインコンデンサ９及び充電用トランス１４を充電用基板２１上において電気的に接続する。
【００５４】
また、充電用基板２１には、フィルムパトローネ３１ａに設けられたＤＸコードを読み取るための接点４ａが設けられている。
【００５５】
図１（Ｂ）は、カメラ３０内部の斜視図である。
【００５６】
カメラ本体３０の前面側に配置される充電用基板２１には、主にストロボ装置のメインコンデンサ９の充電に関する回路が実装される。また、充電用基板２１は、撮影レンズ４０やファインダ対物レンズ４１に入射する光を妨げないようにメインコンデンサ９と充電用トランス１４とを接続する撮影レンズ４０の上側（上方）に一体に設けられた腕部（接続部）２１ａが設けられた、略Ｌ字形状をしている。なお、腕部２１ａは特許請求の範囲に記載の腕部に相当する。
【００５７】
更に、この充電用基板２１上には、前述したバリア５１の開閉状態を検出してカメラの動作のＯＮ／ＯＦＦを行うためのメインスイッチ１ａが設けられている。なお、充電用基板２１に実装されるスイッチ、即ち、メインスイッチ１ａ及び接点４ａ、は特許請求の範囲に記載の第２のスイッチに含まれる。
なお、この充電用基板２１は、ビスや両面テープ等でカメラ本体３０に取り付けることができるものである。
【００５８】
また、図１（Ｂ）において、カメラの上方に配置されているプリント基板（以下、メイン基板と称する）２０には、前述のＣＰＵ１、ＬＣＤ２、レリーズスイッチ１ｂ、図示しないフィルム給送用のモータ等が実装される。なお、メイン基板２０に実装されるスイッチ、即ち、レリーズスイッチ１ｂは、特許請求の範囲に記載の第１のスイッチに含まれる。
【００５９】
ＬＣＤ２やレリーズスイッチ１ｂは、前述したようにカメラの上面に配置されることが多い。このため、メイン基板２０はカメラ内部の上面側に配置する。また、このメイン基板２０に実装されたＣＰＵ１からは、前述したようなストロボ充電制御のための信号が充電用基板２１に実装された回路に向けて送信されることになる。そこで、メイン基板２０と充電用基板２１とをリード線２２によって接続する。
【００６０】
図１（Ｃ）は、カメラ３０の側面断面図である。図２に示すように、Ｘｅ管１０ａのマイナス側はグランド（ＧＮＤ）に接続されている。そこで、図１（Ｃ）に示すようにメインコンデンサ９のリード部９ａを折り曲げ、まず、充電用基板２１のＧＮＤに接続する。更に、メインコンデンサ９のリード部９ａを折り曲げてメイン基板２０のＧＮＤに接続する。このように接続することにより、メインコンデンサ９、Ｘｅ管１０ａ（充電用基板２１）、及びメイン基板２０のＧＮＤを電気的に接続することができる。
【００６１】
更に、Ｘｅ管１０ａからのリード線（リード部）１０ｂをメインコンデンサ９に接続する場合には、充電用基板２１の腕部２１ａに半田付け用のランドを設けておけば、安定した作業を行うことができる。また、Ｘｅ管１０ａとメインコンデンサ９とを近距離に配置すれば、リード線１０ｂの長さを短くできる。
【００６２】
ここで、充電用基板２１の効能をまとめると以下のようになる。
【００６３】
（１）　充電用トランス１４を最適な位置に収納及び実装することが可能である。
【００６４】
（２）　メインコンデンサ９を最適な位置に収納及び実装することが可能である。また、リード部９ａによって直接、充電用基板２１に実装可能である。
【００６５】
（３）　ＤＸコード読取用の接点４ａ、バリアの開閉を検出するメインスイッチ１ａを配設可能である。
【００６６】
（４）　Ｘｅ管１０ａ用のリード線１０ｂの短縮可能である。
【００６７】
（５）　メインコンデンサ９のリード部９ａを介して、メイン基板２０とＧＮＤとを接続可能である。
【００６８】
なお、腕部２１ａには、少なくとも、充電用トランス１４の２次側巻線からメインコンデンサ９に向かう配線が存在していれば良い。このため、この腕部２１ａに、ダイオード１５ａ，１５ｂのみを実装するようにすれば、腕部２１ａを細くすることができる。これにより、撮影レンズ４０やファインダ対物レンズ４１の光路を妨げることなく、基板を小型化することができる。
【００６９】
また、基板製造時には、図６（Ａ）のように１枚の基板を分割して充電用基板２１を２つ製造するようにすれば、図６（Ｂ）のように１枚ずつ基板を製造するのに比べて基板製造コストを安くすることが可能である。例えば、同一の大きさのカメラに内蔵する基板を製造する場合に、図６（Ａ）のように基板を製造した場合には基板二枚分の幅Ｈ１で製造でき、図６（Ｂ）のように基板を製造した場合には基板二枚分の幅Ｈ２で製造できたとする。このとき、Ｈ１はＨ２のほぼ半分の幅になる。
【００７０】
また、メイン基板２０の効能は、以下のようなものである。
【００７１】
（１）　ＬＣＤ２を実装する際の土台として利用可能である。
【００７２】
（２）　ＣＰＵ１とＬＣＤ２、及びこれらを接続する信号線を同一基板上に実装可能である。
【００７３】
（３）　レリーズスイッチ１ｂの電極を配設可能である。
【００７４】
（４）　電池８の電極取り付け用の基板として利用可能である。
【００７５】
ここで、メイン基板２０の効能（４）について補足する。メイン基板２０を電池８の電極取り付けるための基板として用いる場合には、図７に示すようにして電極８ａを取り付ければ良い。なお、図７は図１（Ｃ）とは逆側の側面から見た側面断面図である。ここで、電池８用の配線は、メイン基板２０上のパターンに半田付けされたリード線８ｂである。このリード線８ｂによって充電用基板２１にも電源からの電力を供給することができる。
【００７６】
また、図８（Ｂ）に示すように、メイン基板２０上に設けられたトリガトランス１９をＸｅ管１０ａの後ろの空間部に配置すれば、図８（Ｃ）のようにトリガトランス１９を充電用基板２１に設けた場合よりも信号線１９ａの長さを短くできる。トリガトランス１９とＸｅ管１０ａとを結ぶ信号線１９ａを長くしてしまうと、それにより誘発されるノイズによって、ＣＰＵ１やその他の電子回路が誤動作する虞が生じる。そこで、この誤動作をトリガトランス１９の配置を工夫して信号線１９ａの長さを最短とすることで軽減する。
【００７７】
つまり、配線を短くして、トリガトランス１９によるノイズやメインコンデンサ９からＸｅ管１０ａに流れる大電流によるノイズを軽減することにより、回路の誤作動が生じないカメラを提供することができる。
【００７８】
また、図１（Ｂ）では、メインコンデンサ９のリード部を折り曲げることにより、メイン基板２０及び充電用基板２１のＧＮＤを接続したが、図８（Ａ）に示すように、ダイオード１５ａ，１５ｂのうち、何れかのリード部１５ｃを折り曲げて接続するようにしても良い。これにより、二つの基板、即ち、メイン基板２０と充電用基板２１、を接続するためのリード線の本数を減らすことができる。リード線は、長さをそろえたり、被覆部を除去したりする工程が必要であるので、リード線の本数を減らすことはコストダウンにつながる。
【００７９】
以上説明したように、本実施の形態によれば、カメラ内の適切な位置に大型部品を配置し、なおかつノイズ等の影響も考慮して効果的にプリント基板上に実装するので、小型で低コスト、かつ性能の優れたカメラを提供することができる。
【００８０】
また、本実施の形態では、レリーズスイッチやバリア検出用のスイッチ、更には、電池用の電極の配置をも考慮した構成となっている。なお、レリーズスイッチの近傍にカメラの種々の撮影モードを設定するためのモードスイッチを設けても良いことは勿論である。
【００８１】
［第２の実施の形態］
本発明の第２の実施の形態を図９を参照して説明する。本第２の実施の形態は、充電用基板２１の腕部２１ａを撮影レンズ４０の下側（下方）に設けた点が前述の第１の実施の形態と異なる。
このように腕部２１ａを撮影レンズ４０の下側に設けたことにより、前述の第１の実施の形態のように、撮影レンズ４０とファインダ対物レンズ４１との間に腕部２１ａを通す必要がないので、組立て性が向上する。
【００８２】
なお、腕部２１ａを撮影レンズ４０の下側に設けたことにより、充電用基板２１とＸｅ管１０ａとを結ぶリード線１０ｂは長くなってしまう。しかし、リード線１０ｂを、ただ単に上方向に向けて配線するだけで、充電用基板２１とＸｅ管１０ａを接続することができるというメリットがある。
【００８３】
以上実施の形態に基づいて本発明を説明したが、本発明は前述した実施の形態に限定されるものではなく、本発明の要旨の範囲内で種々の変形や応用が可能なことは勿論である。
【００８４】
ここで、本発明の要旨をまとめると特許請求の範囲に記載したものに加えて以下のようなものを含む。
【００８５】
（１）　被写体を撮影するための撮影レンズとフィルムパトローネを装填するためのパトローネ室との間の空間部にトランスを配置し、上記トランスによって、上記撮影レンズとフィルムを巻き上げるためのスプール室との間の空間部に配置されたコンデンサが充電されるカメラであって、
上記トランスを実装したプリント基板は、上記トランスから上記コンデンサの電極部まで延長された腕部を具備し、
上記腕部に上記コンデンサの電極部が実装されることを特徴とするカメラ。
【００８６】
（２）　上記腕部は、上記撮影レンズの下方側に配置されることを特徴とする（１）に記載のカメラ。
【００８７】
また、本発明の要旨から、
（３）　「撮影レンズと、該撮影レンズの光軸を挟んだ一側方に配置された閃光発光装置を発光するためのコンデンサの充電を行うための複数の電気素子の一部を含んだ電気部品実装部を、上記撮影レンズの光軸を挟んだ他側方に、そして、上記電気実装部から一体に延出して上記コンデンサのリード部若しくは上記閃光発光装置に設けられた閃光発光管のリード部を電気的に接続するための接続部（腕部）を上記撮影レンズの上方若しくは下方に配置した電気基板、を有した閃光発光装置付きカメラ」
を提供できるといっても良い。
【００８８】
【発明の効果】
以上詳述したように、本発明によれば、プリント基板上に実装される部品を効率良く配置することにより、小型かつ低コストのカメラを提供することができる。
【図面の簡単な説明】
【図１】図１（Ａ）は本発明の第１の実施の形態に係るカメラの上面断面図であり、図１（Ｂ）は本発明の第１の実施の形態に係るカメラ内部の斜視図であり、図１（Ｃ）は本発明の第１の実施の形態に係るカメラの側面断面図である。
【図２】本発明の第１の実施の形態に係るカメラの電子回路構成を示すブロック図である。
【図３】図３（Ａ）はバリアを開いた場合の外観斜視図であり、図３（Ｂ）はバリアを閉じた場合の外観斜視図である。
【図４】ＬＣＤの表示例に関する説明図である。
【図５】本発明の第１の実施の形態に係るカメラのメイン動作の制御に関するフローチャートである。
【図６】図６（Ａ）は充電用基板を製造する場合の説明図であり、図６（Ｂ）は従来のように１枚づつ基板を製造する場合の説明図である。
【図７】メイン基板に電池を実装する例を説明するための側面断面図である。
【図８】図８（Ａ）はダイオードを用いて基板の接続を行う際の例に関する説明図であり、図８（Ｂ）はＸｅ管の裏にトリガコンデンサを配置する例に関する説明図であり、図８（ｃ）はＸｅ管と離してトリガコンデンサを配置する例に関する説明図である。
【図９】本発明の第２の実施の形態に係るカメラの内部構成図である。
【符号の説明】
１　マイクロコントローラ（ＣＰＵ）
１ａ　メインスイッチ
１ｂ　レリーズスイッチ
１ｃ　アナログ／デジタル（Ａ／Ｄ）変換部
２　表示部（ＬＣＤ）
３　測光（ＡＥ）部
４　ＤＸ読取部
５　シャッタ部
６ａ　巻き上げ（ＷＩＮＤ）部
６ｂ　日付読み込み部
７　ＤＣ／ＤＣコンバータ
８　電池
８ａ　電極
８ｂ，１０ｂ，２２　リード線
９　メインコンデンサ
９ａ，１５ｃ　リード部
１０　ストロボ発光部
１０ａ　キセノン（Ｘｅ，閃光発光）管
１１　トリガ回路
１２，１３　トランジスタ
１４　充電用トランス
１５ａ，１５ｂ　ダイオード
１６ａ，１６ｂ　抵抗
１７　サイリスタ
１８　トリガコンデンサ
１９　トリガトランス
２０　メイン基板
２１　充電用基板
２１ａ　腕部（接続部）
３１　パトローネ室
３１ａ　フィルムパトローネ
３２　フィルム
３３　スプール室
４０　撮影レンズ
４１　ファインダ対物レンズ
５１　バリア
【図１】
2004021014.tif 000003
【図２】
2004021014.tif 000004
【図３】
2004021014.tif 000005
【図４】
2004021014.tif 000006
【図５】
2004021014.tif 000007
【図６】
2004021014.tif 000008
【図７】
2004021014.tif 000009
【図８】
2004021014.tif 000010
【図９】
2004021014.tif 000011